(57)【要約】【課題】  巧みな構成を有しつつ安価なコストによって提供できる積み木ユニット構造を取得する。【解決手段】  立方体に形成され、その六つの面部における五つの面部においては、四つの穿孔同士（４２）を有し、且つその他の面部には二つの対称しあうボス同士（４１）を有し、且つ二つの対称しあう穿孔同士（４３）を有する。【選択図】  図６
2005342357.tif 000002
【特許請求の範囲】
【請求項１】
立方体に形成され、その六つの面部においては、五つの面部には四つの穿孔を有しつつ、他の面部には二つの対称しあうボス同士と、二つの対称しあう穿孔同士が形成されることを特徴とする、積み木ユニット構造。
【請求項２】
前記ボス同士が円形に形成されることを特徴とする、請求項１に記載の積み木ユニット構造。
【請求項３】
前記穿孔として円形または四角形のいずれか一種に形成されるものを好適に使用することを特徴とする、請求項１に記載の積み木ユニット構造。
【請求項４】
前記の四つの穿孔同士は、中心部における十字形軸と縁部枠とからなり、且つその中心部における十字形軸の幅が前記の縁部枠の幅の二倍にもなることを特徴とする、請求項１に記載の積み木ユニット構造。
【発明の詳細な説明】
【技術分野】
【０００１】
本発明は、積み木ユニット構造に係わり、特に複数種の形状に組立てられ、且つ収納に便利的であり、且つ安価なコストによって提供できる積み木ユニット構造に関するものである。
【背景技術】
【０００２】
さて、幼児の脳部の発育と筋肉の発育とが、すべて良好的な“運動”によって達成すべきものであり、頭に動かせる必要があるとともに、好ましくは“調整制御バランス感じ”を醸し出すように培養しなければならない。そのため、構築性に富む玩具のもの、例えば、積み木などの物品がよく専門家の推薦を受けて幼児に遊ばせるように勧められてきた。そのような玩具を遊ぶ場合では、幼児が目の観察と両手の操作を通って繰り返して思考と組立の手数を介して最初のばらばらのユニット同士を意味のある構築物となるように組立、“空間”的な概念を構築させるように練習を繰り返すことができ、且つ幼児に”部分的“と”全体“の概念をその頭の中で構築させることができ、且つ”数量“の多少についての概念もついでに培養されてきた。また、そのような積み木の組立創作の最中に、幼児がその成長に伴う設計知能を積み重ねることができ、且つ自己の幻想に陥らせることができ、その空間的創作をいちいちへと作り上げることができるようになり、その脳部の機能性を有効的に訓練できるので、意味に富む実用性のある玩具となっている。
【０００３】
しかしながら、一種の良好的で前記のそれぞれの目的を達成できるぐらいの積み木ユニットが単にいくつかの幾何形状に形成されるブロックを高く組立てることによって前記のすべての目的を達成できるものではなく、積み木ユニットは好ましくは重複性を有し、造形が巧みであり、バランスが取れやすいなどの複数の優れる点を有させなければならなく、マーケットにおいては、既に複数種の積み木ユニットのものが前記の要求を満足できるが、その中では、依然として多くの解決されようとする課題を擁している。
【０００４】
図１と図２に示すのは、それぞれ従来の積み木ユニットの外見図と収納様子を示す説明図であり、それらの図面に開示されるように、従来の積み木ユニット１が立方体に形成され、その側面部の中の四つの面部同士における三つの面部同士においては挿入孔１１を有しつつ、その他の面部には中央の箇所においてはボス１２を有し、そのボス１２と他の積み木ユニット１１における挿入孔と結合することによって、それぞれ異なるタイプの形状の造形を組立てることができ、幼児にその空間的想像力を発揮させることができると共に、その脳部の機能性を活躍させるように培養することもできる。しかしながら、このような設計の場合では、積み木ユニット１をどのように組立、またはどのように収納しても、ある積み木ユニット１のボス１２が載置盤２の外方に突出されるようになることがあり、載置盤２をカバーできなくなり、その美観性を破壊することがある。
【０００５】
また、図３に示すように、それは他の種の従来の積み木ユニットの外見を示す説明図であり、また、図４と図５に示すのは、他種の積み木ユニットの組立説明図と収納説明図であり、それらの図面に示すように、前記の積み木ユニット３が立方体に形成され、その六つの面部における五つの面部においては挿入孔３１を有し、且つその他の面部には中央部にボス３２を有し、そのボス３２と他の積み木ユニットの挿入孔３１を結合することによってそれぞれ異なる形状を有する造形物を組立取得できるので、幼児にその空間的創作力を培養できると共に、その脳部の機能を活躍させるように訓練を繰り返すことができる。また、一個の立方体に形成される積み木ユニット３０を発明してその外見の完璧化の手段として利用し、その六つの面部にはすべて挿入孔３０１が形成され、それらをすべて載置盤２の内部に収納することができ、前記の覆うことができない課題と全体の美観性を破壊する課題を生じることはない。また、他種の六つの面部においてすべて挿入孔３０１を有する積み木ユニット３０を発明することによって前記の覆うことができない課題と前記の美観性を破壊する課題を解消するが、そのような物品は二つの成形型を使用することによってその目的を図ることができ、且つ二種類の物品の在庫が必要であるため、コストを高価にならせることがあり、経済的には不都合な点も有している。
【発明の開示】
【発明が解決しようとする課題】
【０００６】
前記の従来の積み木ユニットの有するそれぞれの課題に鑑みて、本発明の発明者は研究改良を進め、とうとう、複数種の形状に組立てることができるとともに、収納に便利的であり、且つ安価なコストによって提供できる積み木ユニット構造を提出するに至った。
【課題を解決するための手段】
【０００７】
前記の目的を図るために、本発明は、立方体に形成され、その六つの面部においては、五つの面部には四つの穿孔を有しつつ、他の面部には二つの対称しあうボス同士と、二つの対称しあう穿孔同士が形成される、積み木ユニット構造を提供する。
【０００８】
前記の構成を有することによって、複数種の形状に組立てられるとともに、収納に便利的であり、且つ安価で提供できる効果を取得できる。
【０００９】
また、前記の目的を図るために、本発明は、立方体に形成され、その六つの面部においては、五つの面部には四つの穿孔を有しつつ、他の面部には二つの対称しあうボス同士と、二つの対称しあう穿孔同士が形成され、且つ前記の四つの穿孔同士は、中心部における十字形軸と縁部枠とからなり、且つその中心部における十字形軸の幅が前記の縁部枠の幅の二倍にもなるように発明した積み木ユニット構造を提供する。
【００１０】
そうする場合では、もっと多くの種類の形状になるように組立てられることができる。
【発明を実施するための最良の形態】
【００１１】
本発明の目的と特徴とその効果性をさらに詳しく説明するために、以下に添付図面を参照しながら、本発明を詳細的で具体的に説明する。
【００１２】
図６に示すのは、本発明の積み木ユニット構造の外見を示す説明図であり、それらの図面に示すように、その積み木ユニット４は、立方体に形成され、且つその六つの面部の中の五つの面部においては、四つの穿孔同士４２を有しつつ、その他の面部には二つの対称しあうボス４１と二つの対称しあう穿孔同士４３を有し、その中では、前記のボス４１として円形に形成させてもよく、また、前記の穿孔４２，４３が四方形に形成されてもよい。他に、前記の四つの穿孔同士４２が中心部における十字形軸４４と縁部枠４５とからなるものであり、且つ前記の中心部における十字形軸４４の幅が縁部枠４５の幅の二倍にもなる。
【００１３】
また、図７に示すのは、本発明による複数個の積み木ユニットの外見を示す説明図であり、且つ図８と図９に示すのは、それぞれ本発明による複数個の積み木ユニット同士の組立説明図とそれらの収納の場合を示す説明図である。
【００１４】
それらの図面に示すように、それぞれの積み木ユニット４がその一面に形成される二つの対称しあうボス４１と、他の積み木ユニット４のいずれの面部における穿孔４２，４３と一体になるように結合でき、十字形造形を形成することができ、且つ載置盤５に置き入れられる場合に、そのボス４１を有する面部を内方へ向けて他の積み木ユニット４の穿孔同士４２，４３に挿入することによって、それらのボス４１を突出させないように処理できるので、従来物のカバーできない課題と美観性に欠如するような課題などをすべて解消でき、且つそのような積み木ユニットは一種の成形型を使用して作製することができるので、従来の他の成形型を作る必要がある課題と二種類の部材と材料を備える必要があることなどの課題をすべて解消できる。
【００１５】
また、図１０と図１１に示すのは、それぞれ本発明の他の実施の形態を示す説明図であり、それらの図面に開示されるように、それらの積み木ユニット４の四つの穿孔同士４２が中心部における十字形軸４４と縁部枠４５とからなるとともに、その十字形軸４４の幅が縁部枠４５の二倍にもなり、そのため、前記の積み木ユニット４は一対一のモードの組立てることだけに限定されなくなり、例えば、ある積み木ユニット４の二つのボス４１によって他の積み木ユニットにおける穿孔４２，４３に対応して逆さまな“Ｔ”字形を形成するように組立てることができる。
【００１６】
また、図１２と図１３に示すのは、それぞれは本発明の他の実施の形態を示す説明図であり、それらの図面に開示されるように、前記の積み木ユニット４がその一面における二つのボス同士４１をそれぞれ他の二つの積み木ユニット４の穿孔４２内に嵌め込み、また、他の積み木ユニット４を取って、その一面における二つのボス同士４１を前記の他の二つの積み木ユニット同士４の穿孔４３内に嵌めこむことによって、積み重ね接合される十字形の様子に形成されることも実行できる。
【００１７】
他に、図１０ないし図１３は、本発明による積み木ユニットの二種類の組立状態の実施例を示す説明図であり、本発明の積み木ユニットは、前記の組立方式に限定するものはなく、相互に積み重ね接合でき、無限に延伸することができ、それぞれの各種の造形に組立てることができる。
【００１８】
図１４に示すのは、本発明の他の実施形態を示す説明図であり、それらの図面に示すように、その積み木ユニット６が立方体に形成され、その六つの面部における五つの面部においては四つの穿孔同士６２を有しつつ、その他の面部には二つの対称しあうボス６１と二つの対称しあう穿孔同士６３が形成されている。その中では、前記のボス６１として円形に形成されるものを使用でき、他に、前記の穿孔６２，６３も円形に形成されることができる。その積み木ユニット６の組立方式は、図７と図８と図９に示すように、収納時にカバーできない課題や美観性に欠如することなどの課題を容易に解消でき、また、その積み木ユニット６の組立方式も図１０ないし図１３に示す組立方式を好適に採用でき、相互に積み重ね接合でき、無限に延伸することができ、それぞれ各種の造形に組立てることができる。
【産業上の利用可能性】
【００１９】
前記の説明から分かるように、本発明による積み木ユニット４，６が立方体に形成され、その六つの面部における五つの面部においては、四つの穿孔同士４２，６２を有し、且つその他の面部には二つの対称しあうボス同士４１，６１を有し、且つ二つの対称しあう穿孔同士４３，６３を有する。その中では、前記のボス同士４１，６１として円形に形成されるものを好適に使用でき、且つ前記の穿孔同士４２，６２，４３，６３も四方形や円形などのいずれ一種の形状に形成させることができるので、巧みな構成を有しつつ安価なコストによって提供できる積み木ユニット構造を取得できる。
【００２０】
前記に説明したように、本発明による“積み木ユニット構造”は、確かに最先に使用されるものであり、その構造は簡素的であり、実用性に富み、十分に進歩性と新規性を有し、既に特許登録の要件をみたすので、ご査察の上、早期に公開されるよう宜しくお願い申し上げます。
【図面の簡単な説明】
【００２１】
【図１】従来の積み木ユニットの外見を示す説明図である。
【図２】従来の積み木ユニットの収納時の様子を示す説明図である。
【図３】他の従来の積み木ユニットの外見を示す説明図である。
【図４】他の従来の積み木ユニットの組立時の様子を示す説明図である。
【図５】他の従来の積み木ユニットの収納時の様子を示す説明図である。
【図６】本発明の積み木ユニットの外見を示す説明図である。
【図７】本発明による複数個の積み木ユニット同士の様子を示す説明図である。
【図８】本発明による複数個の積み木ユニット同士の組立時の様子を示す説明図である。
【図９】本発明による複数個の積み木ユニット同士の収納時の様子を示す説明図である。
【図１０】本発明の実施形態を示す説明図である。
【図１１】本発明の実施形態を示す説明図である。
【図１２】本発明の他の実施形態を示す説明図である。
【図１３】本発明の他の実施形態を示す説明図である。
【図１４】本発明の他の実施形態を示す説明図である。
【符号の説明】
【００２２】
１      積み木ユニット
２      載置盤
３      積み木ユニット
４      積み木ユニット
５      載置盤
６      積み木ユニット
１１    挿入孔
１２    ボス
３０    積み木ユニット
３１    挿入孔
３２    ボス
４１    ボス
４２    穿孔
４３    穿孔
４４    中心部における十字形軸
４５    縁部枠
６１    ボス
６２    穿孔
６３    穿孔
３０１  挿入孔
【図１】
2005342357.tif 000003
【図２】
2005342357.tif 000004
【図３】
2005342357.tif 000005
【図４】
2005342357.tif 000006
【図５】
2005342357.tif 000007
【図６】
2005342357.tif 000008
【図７】
2005342357.tif 000009
【図８】
2005342357.tif 000010
【図９】
2005342357.tif 000011
【図１０】
2005342357.tif 000012
【図１１】
2005342357.tif 000013
【図１２】
2005342357.tif 000014
【図１３】
2005342357.tif 000015
【図１４】
2005342357.tif 000016